(57)【要約】【課題】負荷に余計なストレスをかけることなく、負荷を保護する。【解決手段】負荷５を動作させたときに、端子に電流が流れ、その電流を電流検出手段４が検出し、制御回路６に電流値（直流電圧等）を出力することができるため、負荷５の運転状態を把握することができ、負荷５が異常状態となる前に検知することができる。また、制御回路６が破壊した場合にも最終保護手段のヒューズ３が電源を遮断するため、負荷に余計なストレスをかけることなく、負荷を保護することができる。【選択図】図１
2007073274.tif 000002
【特許請求の範囲】
【請求項１】
負荷に電源を供給する入力端子と、負荷が異常状態になったときに溶断するヒューズと、前記入力端子から入力した電源の一相に設置され、負荷の電流を検出する電流検出手段とを備えたことを特徴する端子台。
【請求項２】
電流検出手段を電源を入力する二相に備えたことを特徴とする請求項１に記載の端子台。
【請求項３】
電源を入力するときに、相を誤配線したことを検出する逆相検出手段を備えたことを特徴とする請求項１に記載の端子台。
【請求項４】
入力端子にアース端子を備えたことを特徴とする請求項１に記載の端子台。
【請求項５】
負荷の異常電流値を設定することができる異常電流値設定手段を備えたことを特徴とする請求項１に記載の端子台。
【請求項６】
負荷の電流状態を表示する電流表示手段を備えたことを特徴とする請求項１に記載の端子台。
【請求項７】
入力端子に電源分岐端子を備えたことを特徴とする請求項１に記載の端子台。
【請求項８】
請求項１〜７に記載の単数または複数の構成を搭載した端子台。
【発明の詳細な説明】
【技術分野】
【０００１】
本発明は、電流が検出でき、負荷の保護を行うことができる端子台に関するものである。
【背景技術】
【０００２】
従来、この種の端子台としては、例えば図８に記載されているようなものがあった。
【０００３】
図８は従来の斜視図である。図８において、１０１は端子台本体であり、その電源側と負荷側に、それぞれ一次導体の端子１０２、１０３が設けられている。この端子台本体１０１の内部にはこれらの端子１０２、１０３間を流れる電流を検出するためのＣＴ（変流器）が収納されている。このＣＴ自体は周知のものであり、３極の中の１極の端子板の周囲に捲線を備えた構造となっている。このため、スペースの削減と、配線の手数の削減を図ることができていた（例えば、特許文献１参照）。
【特許文献１】特開２０００−３２３２０２号公報
【発明の開示】
【発明が解決しようとする課題】
【０００４】
しかしながら、前記従来の構成では、負荷側に異常な電流が流れた時に、負荷にストレスがかかるという課題を有していた。
【０００５】
本発明は、前記従来の課題を解決するもので、負荷の異常状態を事前に検知し、負荷に余分なストレスをかけることなく、負荷を保護することができる端子台を提供することを目的とする。
【課題を解決するための手段】
【０００６】
前記従来の課題を解決するために、本発明の端子台は、入力した電源の一相に、負荷の電流を検出する電流検出手段を設け、負荷側に異常な電流が流れた時に溶断するヒューズを設けたことにより、負荷に余計なストレスをかけることなく、負荷を保護することができる。
【発明の効果】
【０００７】
本発明の端子台は、負荷の運転状態や異常状態を事前に検知することができ、負荷に余計なストレスをかけることなく、負荷を保護し寿命を延ばすことができる。
【発明を実施するための最良の形態】
【０００８】
第１の発明は、端子台本体と、端子台本体内に内蔵された負荷に電源を供給する入力端子と、負荷が動作し異常状態になったときに溶断するヒューズと、前記入力端子から入力した電源の一相に設置され負荷の電流を検出する電流検出手段とを備え、入力した電源の一相に、負荷の電流を検出する前記電流検出手段と、負荷が異常状態になったときに溶断するヒューズを設けたことにより、負荷に余計なストレスをかけることなく、負荷が異常状態になったときに保護することができる。
【０００９】
第２の発明は、特に第１の発明の端子台において、電源を入力する二相に負荷の電流を検出する電流検出手段を備えたことにより、負荷の運転電流をより精度良く検出することができる。
【００１０】
第３の発明は、特に、第１の発明の端子台において、入力する電源の相を誤配線したこ
とを検出する逆相検出手段を備えたことにより、電源の誤配線を防止することができる。
【００１１】
第４の発明は、特に、第１の発明の端子台において、前記入力端子の近傍にアース端子を備えたことにより、設置工事時のアース工事もすることができる。
【００１２】
第５の発明は、特に、第１の発明の端子台において、負荷の異常電流値を設定することができる異常電流値設定手段を備えたことにより、負荷に応じた異常電流値を設定することができる。
【００１３】
第６の発明は、第１の発明の端子台において、負荷の電流状態を表示する電流表示手段を備えたことにより、負荷の運転状態を知ることができる。
【００１４】
第７の発明は、第１の発明の端子台の入力端子において、各相の電源を分岐する端子を備えたことにより、負荷以外の制御回路等に電源を供給することができる。
【００１５】
第８の発明は、特に、第１〜６に記載の単数または複数の制御を搭載することにより、負荷が異常状態になったときに、負荷に応じて余計なストレスをかけることなく、負荷の寿命を延ばすことができ、設置工事時の配線ミスも無くすことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における端子台１の回路図を示すものである。図１において、端子台１は、入力端子２、ヒューズ３、電流検出手段４、から構成されている。
【００１８】
入力端子２は負荷５を動作させるための電源を入力する端子である。ヒューズ３は電源を遮断する最終保護手段であり、負荷５が異常運転状態になった場合、制御回路６が暴走または破壊したときに電源を遮断する。電流検出手段４は、ヒューズ３を介して電源の一相に設けており、制御回路６に負荷５の電流値（直流電圧等）を出力する。また、制御回路６は端子台１に内蔵しても良い。
【００１９】
以上のように構成された端子台１は、負荷５を動作させたときに、端子に電流が流れ、その電流を電流検出手段４が検出し、制御回路６に電流値（直流電圧等）を出力することができるため、負荷５の運転状態を把握することができ、負荷５が異常状態となる前に検知することができる。また、制御回路６が破壊した場合にも最終保護手段のヒューズ３が電源を遮断するため、負荷に余計なストレスをかけることなく、負荷を保護することができる。
【００２０】
（実施の形態２）
図２は、本発明の第２の実施の形態における端子台１の回路図を示すものである。図２において、実施の形態１で説明した部分については同じ符号を用い説明を省略する。
【００２１】
電流検出手段４ａは、ヒューズ３を介して電源の二相に設けており、制御回路６に二相分の負荷５の電流値（直流電圧等）を出力する。
【００２２】
以上のように構成された端子台１は、負荷５が運転したときに、端子に電流が流れ、その電流を電流検出手段４と４ａの二相分検出され、制御回路６に二相分の電流値（直流電圧等）を出力することができるため、負荷５の運転電流をより精度良く検出することがで
きる。
【００２３】
（実施の形態３）
図３は、本発明の第３の実施の形態における端子台１の回路図を示すものである。図３において、実施の形態１で説明した部分については同じ符号を用い説明を省略する。
【００２４】
逆相検出手段７は、入力端子２に電源相を誤配線したときに検出され、誤配線の出力を行う。また誤配線の出力を利用して、表示させても良い。
【００２５】
以上のように構成された端子台１は、電源工事のときに入力端子２に、入力した電源の相を誤配線したときに検出できるため、電源工事時の誤配線を防止することができる。
【００２６】
（実施の形態４）
図４は、本発明の第４の実施の形態における端子台１の回路図を示すものである。図４において、実施の形態１で説明した部分については同じ符号を用い説明を省略する。
【００２７】
アース端子８は、入力端子２の近傍に備えて、端子８ｂをアースに落とすことにより、端子８ａをアース端子として利用することができる。
【００２８】
以上のように構成された端子台１は、入力端子２の近傍にアース端子８を備えたことにより、電源工事時にアース工事も行うことができる。
【００２９】
（実施の形態５）
図５は、本発明の第５の実施の形態における端子台１の回路図を示すものである。図５において、実施の形態１で説明した部分については同じ符号を用い説明を省略する。
【００３０】
異常電流値設定手段９は、負荷５が運転したときに、負荷５の運転電流を電流検出手段４により検出され出力し、その電流値が異常状態なのか設定することができる。
【００３１】
以上のように構成された端子台１は、接続される負荷５に応じて異常電流値を設定することができる。
【００３２】
（実施の形態６）
図６は、本発明の第６の実施の形態における端子台１の回路図を示すものである。図６において、実施の形態１で説明した部分については同じ符号を用い説明を省略する。
【００３３】
電流表示手段１０は、負荷５の運転電流を、電流検出手段４により検出され出力された電圧により表示することができる。
【００３４】
以上のように構成された端子台１は、負荷５の電流状態を表示することができるので、負荷の運転電流を把握することができる。
【００３５】
（実施の形態７）
図７は、本発明の第７の実施の形態における端子台１の回路図を示すものである。図７において、実施の形態１で説明した部分については同じ符号を用い説明を省略する。
【００３６】
電源分岐端子１１は、入力端子２に入力した電源の各相に端子を設けて、電源を分岐して供給することができる。
【００３７】
以上のように構成された端子台１は、負荷５以外の制御回路６等の電源が必要な負荷に
も電源を供給することができる。
【産業上の利用可能性】
【００３８】
以上のように、本発明にかかる端子台は、ヒューズと電流検出手段を内蔵した端子台であり、負荷を保護することもできるので、負荷保護の必要のあるものに適用できる。
【図面の簡単な説明】
【００３９】
【図１】本発明の実施の形態１における端子台の回路図
【図２】本発明の実施の形態２における端子台の回路図
【図３】本発明の実施の形態３における端子台の回路図
【図４】本発明の実施の形態４における端子台の回路図
【図５】本発明の実施の形態５における端子台の回路図
【図６】本発明の実施の形態６における端子台の回路図
【図７】本発明の実施の形態７における端子台の回路図
【図８】従来の端子台の構成を示す斜視図
【符号の説明】
【００４０】
１  端子台
２  入力端子
３  ヒューズ
４、４ａ  電流検出手段
５  負荷
６  制御回路
７  逆相検地手段
８  アース端子
８−ａ、８−ｂ  アース端子
９  異常電流値設定手段
１０    電流表示手段制御回路
１１    電源分岐端子開閉部
１０１  端子台
１０２  端子
１０３  端子
１０４  二次出力端子
１０５  端子カバー
１０６  配線用溝
１０７  一次導体の極間検出用端子
【図１】
2007073274.tif 000003
【図２】
2007073274.tif 000004
【図３】
2007073274.tif 000005
【図４】
2007073274.tif 000006
【図５】
2007073274.tif 000007
【図６】
2007073274.tif 000008
【図７】
2007073274.tif 000009
【図８】
2007073274.tif 000010